(57)【要約】【課題】湿式現像方式の画像形成装置において高品質のトナー像を形成する。【解決手段】ＣＰＵ１１３は、メモリ１１６に格納された制御プログラムを実行することで、現像バイアスを増加させながら複数のパッチ画像を形成し、そのパッチ画像の画像濃度をそれぞれパッチセンサ１７により検出し、それらの画像濃度を比較して当該画像濃度が飽和したか否かを判別する。そして、画像濃度がほぼ飽和する画像形成条件を求めてメモリ１１６に格納しておく。そして、主制御部１００を介して外部装置から印字指令信号が入力されたときは、メモリ１１６に格納しておいた画像形成条件で印字動作を行う。【選択図】　　　　図２
2004117847.tif 000002
【特許請求の範囲】
【請求項１】
その表面に静電潜像を担持可能に構成された像担持体と、
液体キャリアにトナーを分散した現像液を、その表面に担持しながら前記像担持体と対向する現像位置に搬送する現像液担持体と、
前記現像液担持体に所定の現像バイアスを印加して、前記現像液担持体に担持される現像液中のトナーを前記像担持体に付着させ、前記静電潜像をトナーにより顕像化してトナー像を形成する像形成手段と、
前記像形成手段により形成されたパッチ画像としてのトナー像の画像濃度を検出する濃度検出手段とを備え、
コントラスト電位を変化させながら複数のパッチ画像を形成し、
前記濃度検出手段により検出される前記複数のパッチ画像の画像濃度に基づきコントラスト電位の増加に対する前記像担持体へのトナー付着量がほぼ飽和する画像形成条件を求め、
前記画像形成条件で通常のトナー像を形成することを特徴とする画像形成装置。
【請求項２】
前記パッチ画像としてべた画像を用いて、前記画像形成条件として高濃度用画像形成条件を求める請求項１記載の画像形成装置。
【請求項３】
前記パッチ画像として細線または孤立ドットを含む低濃度画像を用いて、前記画像形成条件として低濃度用画像形成条件を求める請求項１記載の画像形成装置。
【請求項４】
前記パッチ画像として白抜き細線または白抜き孤立ドットを含む中濃度画像を用いて、前記画像形成条件として中濃度用画像形成条件を求める請求項１記載の画像形成装置。
【請求項５】
前記画像形成条件として、下記の高濃度用画像形成条件、中濃度用画像形成条件および低濃度用画像形成条件のうちの少なくとも２つを満足する画像形成条件を求める請求項１記載の画像形成装置。
前記高濃度用画像形成条件は、前記パッチ画像としてべた画像を用いて求める画像形成条件であり、
前記中濃度用画像形成条件は、前記パッチ画像として白抜き細線または白抜き孤立ドットを含む中濃度画像を用いて求める画像形成条件であり、
前記低濃度用画像形成条件は、前記パッチ画像として細線または孤立ドットを含む低濃度画像を用いて求める画像形成条件である。
【請求項６】
前記現像液として、コントラスト電位の増加に対して前記像担持体へのトナー付着量がほぼ飽和するというγ飽和特性を有する現像液を使用する請求項１ないし５のいずれかに記載の画像形成装置。
【請求項７】
前記現像液中のトナー濃度は、約５重量％から約４０重量％である請求項６記載の画像形成装置。
【請求項８】
前記濃度検出手段は、前記像担持体上に形成されたパッチ画像の画像濃度を検出する請求項１ないし７のいずれかに記載の画像形成装置。
【請求項９】
前記像担持体上に形成されたトナー像を転写媒体に転写する転写手段をさらに備え、
前記濃度検出手段は、前記像担持体から前記転写媒体に転写されたパッチ画像の画像濃度を検出する請求項１ないし７のいずれかに記載の画像形成装置。
【請求項１０】
液体キャリアにトナーを分散した現像液を担持する現像液担持体に所定の現像バイアスを印加して、前記現像液担持体に担持される現像液中のトナーを像担持体に付着させ、前記像担持体上の静電潜像をトナーにより顕像化してトナー像を形成する画像形成方法において、
コントラスト電位を変化させながらパッチ画像としてのトナー像を複数個形成する工程と、
前記複数のパッチ画像の画像濃度を検出する工程と、
その検出結果に基づき、コントラスト電位の増加に対する前記像担持体へのトナー付着量がほぼ飽和する画像形成条件を求める工程と、
その画像形成条件で通常のトナー像を形成する工程と
を備えたことを特徴とする画像形成方法。
【発明の詳細な説明】
【０００１】
【発明の属する技術分野】
本発明は、プリンタ、複写機やファクシミリ装置などの電子写真方式の画像形成技術に係り、特に現像方式として湿式現像を採用した電子写真方式の画像形成技術に関するものである。
【０００２】
【従来の技術】
従来、帯電している感光体（像担持体）を露光手段により露光して当該感光体に静電潜像を形成し、現像手段によりトナーを感光体に付着させて静電潜像を顕像化してトナー像を形成し、このトナー像を転写紙に転写して所定の画像を得るようにした電子写真方式の画像形成装置が実用化されている。ここで、現像手段の現像方式として、液体キャリアにトナーを分散した現像液を用いる湿式現像方式が知られている。この湿式現像方式は、トナーの粒子径が０．１〜２μｍと小さいので高解像度の画像が得られる、液体のため流動性が高いことから均一な画像が得られる、などの利点を有しているため、種々の湿式現像方式の画像形成装置が提案されている（例えば特許文献１参照）。
【０００３】
この従来の画像形成装置は、帯電したトナーが液体キャリア中に分散された現像液を、その表面に担持しながら感光体と対向する現像位置に搬送する現像ローラ（現像液担持体）を備えており、感光体と現像ローラとの間隙（現像ギャップ）を満たす現像液中の帯電トナーが感光体に移動することによって、感光体上の静電潜像が顕像化されてトナー像が形成されるようになっている。
【０００４】
【特許文献１】
特開平７−２０９９２２号公報（
【００３８】、図１）
【０００５】
【発明が解決しようとする課題】
ところで、上記のようにして形成されるトナー像の画像濃度は、現像位置において帯電トナーに印加される電界に依存するが、この電界は、現像バイアス、露光エネルギー、帯電バイアスなどの変化や現像ギャップの寸法変化などの影響を受けるため、これらの変化がトナー像の画像濃度に影響して画像品質の低下を招くことがあった。
【０００６】
本発明は、上記課題に鑑みてなされたもので、湿式現像方式の画像形成装置において、高品質のトナー像を形成することができる画像形成装置および方法を提供することを目的とする。
【０００７】
【課題を解決するための手段】
上記目的を達成するために、本発明にかかる画像形成装置は、その表面に静電潜像を担持可能に構成された像担持体と、液体キャリアにトナーを分散した現像液を、その表面に担持しながら前記像担持体と対向する現像位置に搬送する現像液担持体と、前記現像液担持体に所定の現像バイアスを印加して、前記現像液担持体に担持される現像液中のトナーを前記像担持体に付着させ、前記静電潜像をトナーにより顕像化してトナー像を形成する像形成手段と、前記像形成手段により形成されたパッチ画像としてのトナー像の画像濃度を検出する濃度検出手段とを備え、コントラスト電位を変化させながら複数のパッチ画像を形成し、前記濃度検出手段により検出される前記複数のパッチ画像の画像濃度に基づきコントラスト電位の増加に対する前記像担持体へのトナー付着量がほぼ飽和する画像形成条件を求め、前記画像形成条件で通常のトナー像を形成することを特徴としている。
【０００８】
また、上記目的を達成するために、本発明にかかる画像形成方法は、液体キャリアにトナーを分散した現像液を担持する現像液担持体に所定の現像バイアスを印加して、前記現像液担持体に担持される現像液中のトナーを像担持体に付着させ、前記像担持体上の静電潜像をトナーにより顕像化してトナー像を形成する画像形成方法において、コントラスト電位を変化させながらパッチ画像としてのトナー像を複数個形成する工程と、前記複数のパッチ画像の画像濃度を検出する工程と、その検出結果に基づき、コントラスト電位の増加に対する前記像担持体へのトナー付着量がほぼ飽和する画像形成条件を求める工程と、その画像形成条件で通常のトナー像を形成する工程とを備えたことを特徴としている。
【０００９】
これらの構成によれば、コントラスト電位を変化させながら複数のパッチ画像が形成され、その複数のパッチ画像の画像濃度が検出され、その検出結果に基づき、コントラスト電位の増加に対する像担持体へのトナー付着量がほぼ飽和する画像形成条件が求められ、その画像形成条件で通常のトナー像が形成される。ここで、「コントラスト電位の増加に対する像担持体へのトナー付着量がほぼ飽和する画像形成条件」とは、コントラスト電位が増加しても静電潜像の顕像化に寄与するトナー量が殆ど変化しない条件を意味しており、現像液担持体により現像位置に搬送された現像液中の全てのトナーが像担持体に付着する場合が含まれるのは勿論、装置（像担持体や現像液担持体など）の特性によって、コントラスト電位が増加しても現像液中の所定比率（例えば９０％）のトナーが像担持体に付着する状態で殆ど変化しないような場合も含まれる。このような画像形成条件でトナー像を形成すると、画像形成条件や像担持体と現像液担持体との間隙の寸法などが多少変動しても、トナー像の画像濃度は殆ど変化しないため、高品質のトナー像を形成することができる。また、画像形成条件が経時劣化などにより変化した場合でも、コントラスト電位の増加に対する像担持体へのトナー付着量がほぼ飽和する画像形成条件を常に求めることができることから、常に、高品質のトナー像を形成することができる。
【００１０】
また、前記パッチ画像としてべた画像を用いて、前記画像形成条件として高濃度用画像形成条件を求めるようにすると、高品質のべた画像を形成することができる。
【００１１】
また、前記パッチ画像として細線または孤立ドットを含む低濃度画像を用いて、前記画像形成条件として低濃度用画像形成条件を求めるようにすると、高品質の前記低濃度画像を形成することができる。
【００１２】
また、前記パッチ画像として白抜き細線または白抜き孤立ドットを含む中濃度画像を用いて、前記画像形成条件として中濃度用画像形成条件を求めるようにすると、高品質の前期中濃度画像を形成することができる。
【００１３】
また、前記画像形成条件として、下記の高濃度用画像形成条件、中濃度用画像形成条件および低濃度用画像形成条件のうちの少なくとも２つを満足する画像形成条件を求めるようにしてもよい。ここで、前記高濃度用画像形成条件は、前記パッチ画像としてべた画像を用いて求める画像形成条件であり、前記中濃度用画像形成条件は、前記パッチ画像として白抜き細線または白抜き孤立ドットを含む中濃度画像を用いて求める画像形成条件であり、前記低濃度用画像形成条件は、前記パッチ画像として細線または孤立ドットを含む低濃度画像を用いて求める画像形成条件である。
【００１４】
この構成によれば、べた画像と、白抜き細線または白抜き孤立ドットを含む中濃度画像と、細線または孤立ドットを含む低濃度画像とのうちの少なくとも２つを高品質で形成することができる。
【００１５】
また、前記現像液として、コントラスト電位の増加に対して前記像担持体へのトナー付着量がほぼ飽和するというγ飽和特性を有する現像液を使用すると、コントラスト電位の増加に対して像担持体へのトナー付着量がほぼ飽和する画像形成条件を確実に設定できるため、高品質のトナー像を確実に形成することができる。この場合において、前記現像液中のトナー濃度は、約５重量％から約４０重量％であるとすることができる。
【００１６】
また、前記濃度検出手段は、前記像担持体上に形成されたパッチ画像の画像濃度を検出するようにしてもよい。また、前記像担持体上に形成されたトナー像を転写媒体に転写する転写手段をさらに備え、前記濃度検出手段は、前記像担持体から前記転写媒体に転写されたパッチ画像の画像濃度を検出するようにしてもよい。
【００１７】
ところで、一般に画像形成装置では、像担持体、現像液担持体や転写手段の電気的制御条件を調整するために、所定パターンの基準画像を形成して転写媒体に転写された当該基準画像の画像濃度を検出することがよく行われるが、これらの構成によれば、トナー濃度を求めるためのパッチ画像の画像濃度を検出する濃度検出手段を、電気的制御条件調整のための基準画像の画像濃度検出に兼用することができ、部品点数の増加を抑制できる。また、画像形成条件を求めるためのパッチ画像を、基準画像として機能させることができ、効率的なパッチ処理を行うことができる。
【００１８】
【発明の実施の形態】
図１は本発明に係る画像形成装置の一実施形態であるプリンタの内部構成を示す図、図２は同プリンタの電気的構成を示すブロック図である。このプリンタは、ブラック（Ｋ）のトナーを含む現像液を用いて単色画像を形成する湿式現像方式の画像形成装置であり、ホストコンピュータなどの外部装置から画像信号を含む印字指令信号が主制御部１００に与えられると、この主制御部１００からの制御信号に応じてエンジン制御部１１０がエンジン部１の各部を制御して、装置本体２の下部に配設された給紙カセット３から搬送した転写紙、複写紙および用紙（以下「転写紙」という）４に上記画像信号に対応する画像を印字出力する。
【００１９】
上記エンジン部１は、感光体ユニット１０、露光ユニット２０、現像ユニット３０、転写ユニット４０などを備えている。これらのユニットのうち、感光体ユニット１０は感光体１１、帯電部１２、除電部１３およびクリーニング部１４を備えている。また、現像ユニット３０は現像ローラ３１などを備えている。さらに、転写ユニット４０は中間転写ローラ４１などを備えている。
【００２０】
感光体ユニット１０では、感光体１１が図１の矢印方向１５（図中、時計回り方向）に回転自在に設けられている。そして、この感光体１１の周りには、その回転方向１５に沿って、帯電部１２、現像ローラ３１、中間転写ローラ４１、除電部１３およびクリーニング部１４が配設されている。また、帯電部１２と現像ローラ３１との間の表面領域が露光ユニット２０からの光ビーム２１の照射領域となっている。帯電部１２は、本実施形態では帯電ローラからなり、帯電バイアス発生部１１１から帯電バイアスが印加されて、感光体１１の外周面を所定の表面電位Ｖｄ（例えばＶｄ＝ＤＣ＋６００Ｖ）に均一に帯電するもので、帯電手段としての機能を有する。
【００２１】
この帯電部１２によって均一に帯電された感光体１１の外周面に向けて露光ユニット２０から例えばレーザで形成される光ビーム２１が照射される。この露光ユニット２０は、露光制御部１１２から与えられる制御指令に応じて光ビーム２１により感光体１１を露光して、感光体１１上に画像信号に対応する静電潜像を形成するもので、露光手段としての機能を有する。例えば、ホストコンピュータなどの外部装置よりインターフェース１０２を介して主制御部１００のＣＰＵ１０１に画像信号を含む印字指令信号が与えられると、主制御部１００のＣＰＵ１０１からの指令に応じてＣＰＵ１１３が露光制御部１１２に対し所定のタイミングで画像信号に対応した制御信号を出力する。そして、この露光制御部１１２からの制御指令に応じて露光ユニット２０から光ビーム２１が感光体１１に照射されて、画像信号に対応する静電潜像が感光体１１上に形成される。また、必要に応じて後述するパッチ画像を形成する場合には、予め設定された所定パターン（例えば、べた画像、細線画像、白抜き細線画像）のパッチ画像信号に対応した制御信号がＣＰＵ１１３から露光制御部１１２に与えられ、該パターンに対応する静電潜像が感光体１１上に形成される。このように、この実施形態では、感光体１１が本発明の「像担持体」に相当する。
【００２２】
こうして形成された静電潜像は現像ユニット３０の現像ローラ３１から供給されるトナーによって顕像化される。現像ユニット３０は、現像ローラ３１に加えて、現像液３２を貯留するタンク３３、タンク３３に貯留された現像液３２を汲み上げて現像ローラ３１に塗布する塗布ローラ３４、塗布ローラ３４上の現像液層の厚さを均一に規制する規制ブレード３５、感光体１１へのトナー供給後に現像ローラ３１上に残留した現像液を除去するクリーニングブレード３６、トナー濃度調整部３７および後述するメモリ３８（図２）を備えている。現像ローラ３１は感光体１１に従動する方向（図１中、反時計回り）に感光体１１と等しい周速で回転する。塗布ローラ３４は現像ローラ３１と同一方向（同図中、反時計回り）に約２倍の周速で回転する。
【００２３】
現像液３２は、本実施形態では、着色顔料、この着色顔料を接着するエポキシ樹脂などの接着剤、トナーに所定の電荷を与える荷電制御剤、着色顔料を均一に分散させる分散剤等からなるトナーが、液体キャリア中に分散されてなる。本実施形態では、液体キャリアとして例えばポリジメチルシロキサンオイルなどのシリコーンオイルを用いており、トナー濃度を５〜４０重量％として、湿式現像方式で多く用いられる低濃度現像液（トナー濃度が１〜２重量％）に比べて高濃度にしている。なお、液体キャリアの種類はシリコーンオイルに限定されるものではなく、また、現像液３２の粘度は、使用する液体キャリアやトナーを構成する各材料、トナー濃度などによって決まるが、本実施形態では、例えば粘度を５０〜６０００ｍＰａ・ｓとし、低濃度現像液に比べて高粘度にしている。
【００２４】
トナー濃度調整部３７は、タンク３３に貯留された現像液３２よりさらにトナー濃度の高い現像液が貯留された補給タンク３７１および上記液体キャリアが貯留された補給タンク３７２を備えている。そして、トナー補給ポンプ３７３が動作すると高濃度現像液が補給タンク３７１からタンク３３に供給されて現像液３２のトナー濃度が上昇する一方、キャリア補給ポンプ３７４が動作すると液体キャリアが補給タンク３７２からタンク３３に供給されて現像液３２のトナー濃度が低下する。ポンプ３７３，３７４は、ポンプ駆動部１１８，１１９により駆動される。このようにポンプ３７３，３７４の動作制御により、タンク３３内の現像液３２のトナー濃度が調整される。
【００２５】
このような構成の現像ユニット３０において、タンク３３に貯留された現像液３２が塗布ローラ３４により汲み上げられ、規制ブレード３５により塗布ローラ３４上の現像液層の厚さが均一に規制され、この均一な現像液３２が現像ローラ３１の表面に付着し、現像ローラ３１の回転に伴って感光体１１に対向する現像位置１６に搬送される。荷電制御剤などの作用によってトナーは例えば正に帯電しており、現像位置１６では現像バイアス発生部１１４から現像ローラ３１に印加される現像バイアスＶｂによってトナーが現像ローラ３１から感光体１１に移動して、静電潜像が顕像化される。現像バイアスＶｂは、後述する最適化処理によって決められるもので、例えばＶｂ＝ＤＣ＋４００Ｖ程度が用いられる。このように、この実施形態では、現像ローラ３１が本発明の「現像液担持体」に相当し、現像バイアス発生部１１４が本発明の「像形成手段」に相当する。
【００２６】
上記のようにして感光体１１上に形成されたトナー像は、感光体１１の回転に伴って中間転写ローラ４１に対向する１次転写位置４４に搬送される。中間転写ローラ４１は感光体１１に従動する方向（図１中、反時計回り）に感光体１１と等しい周速で回転しており、転写バイアス発生部１１５から１次転写バイアス（例えばＤＣ−４００Ｖ）が印加されると、感光体１１上のトナー像が中間転写ローラ４１に１次転写される。１次転写後における感光体１１上の残留電荷はＬＥＤなどからなる除電部１３により除去され、残留現像液はクリーニング部１４により除去される。
【００２７】
中間転写ローラ４１の適所（図１では中間転写ローラ４１の鉛直下方）に２次転写ローラ４２が対向配置されており、中間転写ローラ４１に１次転写された１次転写トナー像は中間転写ローラ４１の回転に伴って２次転写ローラ４２に対向する２次転写位置４５に搬送される。一方、給紙カセット３に収容されている転写紙４は、１次転写トナー像の搬送に同期して搬送駆動部（図示省略）により２次転写位置４５に搬送される。そして、２次転写ローラ４２は中間転写ローラ４１に従動する方向（図１中、時計回り）に中間転写ローラ４１と等しい周速で回転しており、転写バイアス発生部１１５から２次転写バイアス（例えば定電流制御で−１００μＡ）が印加されると、中間転写ローラ４１上のトナー像が転写紙４に２次転写される。２次転写後における中間転写ローラ４１上の残留現像液はクリーニング部４３により除去される。こうしてトナー像が２次転写された転写紙４は、所定の転写紙搬送経路５（図１中、一点鎖線）に沿って搬送され、定着ユニット６によってトナー像が定着され、装置本体２の上部に設けられた排出トレイに排出される。
【００２８】
また、感光体１１の周りの現像ローラ３１と中間転写ローラ４１との間には、例えば反射型光センサからなるパッチセンサ１７が感光体１１に対向配置されており、後述するように、感光体１１上に形成されたパッチ画像の濃度を検出する。また、装置本体２の上面には、例えば液晶ディスプレイおよびタッチパネルからなる操作表示パネル７が配設されており、使用者による操作指示を受け付けるとともに、所定の情報を表示して使用者に報知する。この実施形態では、パッチセンサ１７が本発明の「濃度検出手段」に相当する。
【００２９】
図２において、主制御部１００は、インターフェース１０２を介して外部装置から与えられた画像信号を記憶するための画像メモリ１０３を備えており、ＣＰＵ１０１は、外部装置から画像信号を含む印字指令信号をインターフェース１０２を介して受信すると、エンジン部１の動作指示に適した形式のジョブデータに変換し、エンジン制御部１１０に送出する。エンジン制御部１１０のメモリ１１６は、予め設定された固定データを含むＣＰＵ１１３の制御プログラムを記憶するＲＯＭや、エンジン部１の制御データやＣＰＵ１１３による演算結果などを一時的に記憶するＲＡＭなどからなる。ＣＰＵ１１３はＣＰＵ１０１を介して外部装置から送られた画像信号に関するデータをメモリ１１６に格納する。
【００３０】
現像ユニット３０のメモリ３８は、当該現像ユニット３０の製造ロット、使用履歴、内蔵トナーの特性、現像液３２の残量やトナー濃度などに関するデータを記憶するものである。このメモリ３８は通信部３９と電気的に接続されており、通信部３９は例えばタンク３３に取り付けられている。そして、現像ユニット３０が装置本体２に装着されると、通信部３９がエンジン制御部１１０の通信部１１７と所定距離以内、例えば１０ｍｍ以内に対向配置されるように構成されており、赤外線などの無線通信により互いに非接触状態でデータを送受信可能となっている。これによって、ＣＰＵ１１３により現像ユニット３０に関する消耗品管理等の各種情報の管理が行われる。なお、この実施形態では無線通信等の電磁的手段を用いて非接触にてデータ送受信を行うようにしているが、例えば装置本体２および現像ユニット３０にそれぞれコネクタを設けておき、装置本体２に現像ユニット３０を装着すると、両コネクタが機械的に嵌合することで相互にデータ送受信を行うようにしてもよい。また、メモリ３８は、電源オフ状態や現像ユニット３０が装置本体２から取り外された状態でもそのデータを保存できる不揮発性メモリであることが望ましく、このような不揮発性メモリとしては例えばフラッシュメモリなどのＥＥＰＲＯＭや強誘電体メモリなどを用いることができる。
【００３１】
図３は現像ニップ部の拡大図、図４はコントラスト電位に対する感光体へのトナー付着量の変化を説明する図である。図３に示すように、感光体１１と現像ローラ３１との間隔Ｄ（現像ギャップ＝現像液層の厚さ）は、５〜４０μｍの範囲の所定値（本実施形態では例えばＤ＝７μｍ）に均一に規制されている。また、現像ニップ距離Ｌ（現像液層が感光体１１および現像ローラ３１の双方に接触している周方向の距離）は、本実施形態では例えばＬ＝５ｍｍに設定されている。
【００３２】
そして、液体キャリア３２１にトナー３２２を分散した現像液３２が現像ローラ３１の表面に担持されつつ現像位置１６に搬送される。一方、感光体１１は帯電部１２により電位Ｖｄに均一に帯電されており、露光ユニット２０の光ビーム２１により露光されて電荷が中和された領域にトナー３２２が付着する。
【００３３】
このように、本実施形態ではトナー濃度が高濃度（例えば５〜４０重量％）の現像液３２を使用することにより、現像ギャップＤを小さく設定することができる。従って、上述した低濃度現像液の場合にはトナー量を稼ぐべく１００〜２００μｍの現像ギャップを必要とするのに比べて、現像液中を電気泳動によって移動するトナーの移動距離が短縮するので、現像効率を向上することができ、現像を高速に行えることとなる。
【００３４】
また、現像ギャップＤを小さく設定しているので、例えば現像バイアスＶｂの増加によりコントラスト電位Ｖｃｏｎｔを増加させると、それに伴って発生電界も急に増加することから、図４（Ａ）に示すように、現像ローラ３１から感光体１１へのトナー付着量は急上昇し、ある電位（同図ではＶｃｏｎｔ＝Ｖｔ）以上でほぼ飽和する。
【００３５】
このように、図４（Ａ）におけるコントラスト電位Ｖｔ以上の範囲ではトナー付着量が飽和しているので、この範囲で形成したトナー像の画像濃度は、現像バイアス、帯電バイアス、露光エネルギーなどの画像形成条件が多少変動しても、殆ど変化しないこととなる。そこで、後述するように、このプリンタは、この範囲に含まれる画像形成条件でトナー像を形成している。これによって、濃度不足や濃度むらなどによる画質低下を未然に防止している。
【００３６】
ここで、「トナー付着量がほぼ飽和する」とは、コントラスト電位Ｖｃｏｎｔが増加しても静電潜像の顕像化に寄与するトナー量が殆ど変化しないことを意味しており、現像ローラ３１上の現像液の全てのトナーが感光体１１に付着する場合が含まれるのは勿論、装置（例えば感光体ユニット１０や現像ユニット３０など）の特性によって、コントラスト電位Ｖｃｏｎｔが増加しても現像ローラ３１上の現像液の所定比率（例えば９０％や９５％）のトナーが感光体１１に付着する状態で殆ど変化しないような場合も含まれる。
【００３７】
一方、低濃度（例えば１〜２重量％）の現像液を使用する場合には、トナー量を稼ぐべく現像ギャップＤを大きく（例えばＤ＝１００〜２００μｍ）設定することが必要となるので、コントラスト電位Ｖｃｏｎｔを増加させても、発生電界は緩やかにしか増加しないため、比較例の図４（Ｂ）に示すように、現像ローラ３１から感光体１１へのトナー付着量は緩やかに上昇し続け、飽和することがない。
【００３８】
図５はべた画像Ｐ１、低濃度画像Ｐ２および中濃度画像Ｐ３を形成したときの感光体１１の表面電位プロファイルを示す図、図６は各画像Ｐ１〜Ｐ３を形成したときの現像バイアスＶｂの変化に対する画像濃度の変化を模式的に示す図である。なお、図６では、現像バイアスＶｂ以外の画像形成条件（帯電バイアス、露光エネルギー等）については固定している。
【００３９】
帯電部１２により均一の電位Ｖｄ（本実施形態では例えばＶｄ＝ＤＣ＋６００Ｖ）に帯電された感光体１１を部分的に光ビーム２１により露光すると、その部分の電荷が中和されて感光体１１の表面に静電潜像が形成されるが、べた画像Ｐ１では感光体１１表面の比較的広い範囲が露光されるため、その表面電位プロファイルは、感光体１１の特性で決まる残留電位Ｖｒにほぼ等しい電位Ｖ１まで低下した井戸型となる。一方、低濃度画像（本実施形態では例えば細線画像）Ｐ２では露光される領域が狭いため、その表面電位Ｖｓは鋭いディップ状のプロファイルを有することとなり、電位Ｖ２（＞Ｖ１）までしか低下しない。逆に、中濃度画像（本実施形態では例えば白抜き細線画像）Ｐ３では露光される領域に挟まれた非露光領域が狭いため、白抜き部分の表面電位Ｖｓは電位Ｖ３までしか上昇せず、電位Ｖｄまで戻らない。なお、図５の画像Ｐ２，Ｐ３では１ラインのみの例を示しているが、互いに離隔配置された複数ラインの場合も同様である。
【００４０】
そして、このような表面電位プロファイルを有する静電潜像がトナーを担持する現像ローラ３１と対向する現像位置１６に搬送されてくると（図３）、この現像位置１６における現像液３２中のトナー３２２は、現像ローラ３１、感光体１１各部の直流電位に応じてそのいずれかに付着する。このとき、現像バイアスＶｂと感光体１１の表面電位Ｖｓとの電位差、すなわちコントラスト電位Ｖｃｏｎｔが大きいほど現像ローラ３１から感光体１１へのトナー移動が促進されるため、この電位差すなわちコントラスト電位Ｖｃｏｎｔが大きいほど感光体１１へのトナー付着量は多くなり、それに伴って画像濃度も高くなって、上述したように、ある電位でほぼ飽和する。
【００４１】
ここで、まず、べた画像Ｐ１の形成について説明する。図６に示すように、現像バイアスＶｂを０から増加させると、Ｖｂ＞Ｖ１になった時点でコントラスト電位Ｖｃｏｎｔが正になり画像濃度が上昇し始める。そして、十分なコントラスト電位Ｖｃｏｎｔが得られた時点（図６ではＶｂ＝Ｖ４＞Ｖ１）からは、現像バイアスＶｂを増加しても画像濃度は上昇せず一定となり、ほぼ飽和する。
【００４２】
続いて、低濃度画像Ｐ２の形成について説明する。現像バイアスＶｂを０から増加させると、Ｖｂ＞Ｖ２になった時点でコントラスト電位Ｖｃｏｎｔが正になり画像濃度が上昇し始める。そして、十分なコントラスト電位Ｖｃｏｎｔが得られた時点（図６ではＶｂ＝Ｖ５＞Ｖ２）からは、現像バイアスＶｂを増加しても画像濃度は上昇せず一定となり、ほぼ飽和する。
【００４３】
次に、中濃度画像Ｐ３の形成について説明する。現像バイアスＶｂを０から増加させると、Ｖｂ＞Ｖ１になった時点でコントラスト電位Ｖｃｏｎｔが正になり画像濃度が上昇し始める。そして、十分なコントラスト電位Ｖｃｏｎｔが得られた時点（図６ではＶｂ＝Ｖ４＞Ｖ１）からは、現像バイアスＶｂを増加しても画像濃度は上昇せず一定となり、ほぼ飽和する。さらに現像バイアスＶｂを増加させ、Ｖｂ＞Ｖ３になると、白抜き部分にもトナーが付着するため、画像濃度は上昇する。そして、現像バイアスＶｂが電位Ｖ３より十分に高くなると、画像濃度がべた画像と同レベルになってほぼ飽和する。なお、この実施形態では、中濃度画像Ｐ３の飽和開始電位とべた画像Ｐ１のそれとが一致しているが、トナーの種類や装置構成などにより不一致となる場合もある。
【００４４】
以上より、以下のことが分かる。すなわち、
▲１▼現像バイアスＶｂを、Ｖ４＜Ｖｂを満たす所定値に設定すると、べた画像Ｐ１を良好に形成できる。
▲２▼現像バイアスＶｂを、Ｖ５＜Ｖｂを満たす所定値に設定すると、低濃度画像Ｐ２に加えて、べた画像Ｐ１を良好に形成できる。
▲３▼現像バイアスＶｂを、Ｖ４＜Ｖｂ＜Ｖ３を満たす所定値に設定すると、中濃度画像Ｐ３に加えて、べた画像Ｐ１を良好に形成できる。
▲４▼現像バイアスＶｂを、Ｖ５＜Ｖｂ＜Ｖ３を満たす所定値に設定すると、べた画像Ｐ１、低濃度画像Ｐ２および中濃度画像Ｐ３を良好に形成できる。
【００４５】
そこで、このプリンタは、べた画像Ｐ１、低濃度画像Ｐ２および中濃度Ｐ３に対応するパッチ画像について、それぞれコントラスト電位を変化させながら複数のパッチ画像を形成し、その画像濃度を検出して、画像濃度がほぼ飽和する画像形成条件を求める最適化処理を、電源投入時や印字枚数が所定枚数に達したときなどの適当なタイミングで実行している。以下、各パッチ画像の一例について説明した後、本実施形態の動作について詳述する。
【００４６】
図７は低濃度画像Ｐ２に対応する低濃度パッチ画像Ｑ２の一例を示す図、図８は中濃度画像Ｐ３に対応する中濃度パッチ画像Ｑ３の一例を示す図である。低濃度パッチ画像Ｑ２は、本実施形態では、図７に示すように、１オン・１０オフの１ドットライン群からなる細線画像である。このオンドットライン群は２以上でもよいが、細線画像が確実に形成できる画像形成条件を求めるためには、１が好ましい。また、オフドットライン群は１０に限られず、隣接するドットライン群が十分に離隔される数、例えば３以上であればよい。なお、図７では細線画像としているが、これに代えて、孤立ドットからなる画像としてもよい。
【００４７】
また、中濃度パッチ画像Ｑ３は、本実施形態では、図８に示すように、１０オン・１オフの白抜き１ドットライン群からなる白抜き細線画像である。この白抜きドットライン群は２以上でもよいが、白抜き細線画像が確実に形成できる画像形成条件を求めるためには、１が好ましい。また、オンドットライン群は１０に限られず、隣接する白抜きドットライン群が十分に離隔される数、例えば３以上であればよい。なお、図８では白抜き細線画像としているが、これに代えて、白抜き孤立ドットからなる画像としてもよい。
【００４８】
また、べた画像Ｐ１に対応するべたパッチ画像Ｑ１は、例えば図５に示すように、べた画像Ｐ１と同様のべた画像を用いればよい。
【００４９】
図９は画像形成条件の最適化処理ルーチンを示すフローチャート、図１０は図９のべたパッチ処理サブルーチンを示すフローチャート、図１１は図９の低濃度パッチ処理サブルーチンを示すフローチャート、図１２および図１３は図９の中濃度パッチ処理サブルーチンを示すフローチャートである。エンジン制御部１１０のメモリ１１６には画像形成条件の最適化処理の制御プログラムが記憶されている。そして、ＣＰＵ１１３が該制御プログラムにしたがって装置各部を制御することで、以下の最適化処理が実行される。
【００５０】
この画像形成条件の最適化処理では、まず、べたパッチ処理を行う（図９の＃１０）。このべたパッチ処理では、図１０に示すように、現像バイアスＶｂを予め決められた所定値（例えば図６のＶ１）に設定し（＃２０）、べたパッチ画像Ｑ１を形成する（＃２２）。なお、この実施形態では、現像バイアスＶｂ以外の画像形成条件（帯電バイアス、露光エネルギー等）については固定している。したがって、現像バイアスＶｂを変化させることでコントラスト電位Ｖｃｏｎｔを任意に設定可能となっている。そして、そのべたパッチ画像Ｑ１が感光体１１の回転に伴ってパッチセンサ１７と対向する位置に移動してくるタイミングで当該パッチセンサ１７から出力される検出信号を取り込み、その信号に基づいてべたパッチ画像Ｑ１の濃度を求め、メモリ１１６に格納する（＃２４）。
【００５１】
次いで、現像バイアスＶｂを予め決められた所定幅だけ増加することで、コントラスト電位Ｖｃｏｎｔを増加する（＃２６）。そして、この画像形成条件でべたパッチ画像Ｑ１を形成する（＃２８）とともに、上記ステップ＃２４と同様に、パッチセンサ１７から出力される検出信号に基づきその濃度を求め、メモリ１１６に格納する（＃３０）。さらに、直前に形成したべたパッチ画像Ｑ１とその前に形成したべたパッチ画像Ｑ１の濃度を比較して、例えば濃度の変化量が予め設定された所定幅以下であるか否かにより飽和しているか否かを判別し（＃３２）、飽和していれば（＃３２でＹＥＳ）、＃３４に進み、一方、濃度が飽和していなければ（＃３２でＮＯ）、＃２６に戻って以上のステップが繰り返される。なお、＃３２では、例えば濃度の変化量が最初の濃度の変化量（例えば図６ではべた画像Ｐ１のラインの傾斜部分）の１／１０以下になったときに、飽和していると判別するようにしてもよい。
【００５２】
そして、＃３４において、飽和時点の現像バイアスＶｂ（例えば図６ではＶ４）をメモリ１１６に格納して、図９にリターンし、次いで、低濃度パッチ処理を行う（図９の＃１２）。この低濃度パッチ処理では、図１１に示すように、現像バイアスＶｂを予め決められた所定値（例えば図６のＶ２）に設定し（＃４０）、低濃度パッチ画像Ｑ２を形成する（＃４２）。＃４４〜＃５２の動作については、低濃度パッチ画像Ｑ２を形成するステップ（＃４８）以外は、図１０のべたパッチ処理と同様の手順で実行され、画像濃度が飽和するまで低濃度パッチ画像Ｑ２の形成および濃度検出が行われる。
【００５３】
そして、＃５４において、飽和時点の現像バイアスＶｂ（例えば図６ではＶ５）をメモリ１１６に格納して、図９にリターンし、次いで、中濃度パッチ処理を行う（図９の＃１４）。この中濃度パッチ処理では、図１２に示すように、現像バイアスＶｂを予め決められた所定値（例えば図６ではＶ１）に設定し（＃６０）、中濃度パッチ画像Ｑ３を形成する（＃６２）。＃６４〜＃７２の動作については、中濃度パッチ画像Ｑ３を形成するステップ（＃６８）以外は、図１０のべたパッチ処理と同様の手順で実行され、画像濃度が飽和するまで中濃度パッチ画像Ｑ３の形成および濃度検出が行われる。
【００５４】
そして、＃７４において、飽和時点の現像バイアスＶｂ（例えば図６ではＶ４）をメモリ１１６に格納する。次いで実行される図１３の＃７６〜＃８０は、図１２の＃６６〜＃７０と全く同様に行われる。そして、＃８２において、直前に形成した中濃度パッチ画像Ｑ３とその前に形成した中濃度パッチ画像Ｑ３の濃度を比較し、例えば濃度の変化量が予め設定された所定幅を超えたか否かにより、再び画像濃度が増加し始めたか否かを判別し、画像濃度が増加し始めていなければ（＃８２でＮＯ）、＃７６に戻って以上の手順が繰り返される。
【００５５】
そして、中濃度パッチ画像Ｑ３の画像濃度が再び増加し始めると（＃８２でＹＥＳ）、増加時点の現像バイアスＶｂ（例えば図６ではＶ３）をメモリ１１６に格納して、図９にリターンし、次いで、現像バイアスＶｂの最適値を決定してメモリ１１６に格納する（図９の＃１６）。この現像バイアスＶｂの最適値としては、例えば図６の例ではＶ５＜Ｖｂ＜Ｖ３を満たす所定値に設定される。なお、こうして求められた画像形成条件を現像ユニット３０のメモリ（現像ユニット装着メモリ）３８に書き込むようにしてもよい。そして、適当なタイミング、例えば現像ユニット３０の装置本体２への装着タイミングでメモリ３８中の画像形成条件をメモリ１１６に書き込むようにしてもよい。
【００５６】
図１４は印字処理ルーチンを示すフローチャートである。主制御部１００を介して外部装置から印字指令信号が入力されると、まず、画像形成条件として、予め決められている帯電バイアスおよび露光エネルギーが設定されるとともに、画像形成条件の最適化処理（図９）で求められ、メモリ１１６に格納されている現像バイアスＶｂが設定される（＃９０）。そして、この設定された画像形成条件で印字動作が実行される（＃９２）。このように、最適化処理で求められた画像形成条件で印字動作を行っているので、べた画像Ｐ１、低濃度画像Ｐ２および中濃度画像Ｐ３について、高品質の画像形成を行うことができる。
【００５７】
このように、本実施形態によれば、コントラスト電位を変化させながら複数のべたパッチ画像Ｑ１を形成し、それぞれの画像濃度をパッチセンサ１７により検出して、コントラスト電位の増加に対する感光体１１へのトナー付着量がほぼ飽和する高濃度画像形成条件を求め、その高濃度画像形成条件でトナー像の形成を行うようにしているので、高濃度画像を高品質で形成することができる。また、経時劣化などにより装置の状態が変化した場合でも、常に、上記高濃度画像形成条件を求めることができる。
【００５８】
また、本実施形態によれば、コントラスト電位を変化させながら複数の低濃度パッチ画像Ｑ２を形成し、それぞれの画像濃度をパッチセンサ１７により検出して、コントラスト電位の増加に対する感光体１１へのトナー付着量がほぼ飽和する低濃度画像形成条件を求め、その低濃度画像形成条件でトナー像の形成を行うようにしているので、細線または孤立ドットを含む低濃度画像を高品質で形成することができる。また、経時劣化などにより装置の状態が変化した場合でも、常に、上記低濃度画像形成条件を求めることができる。
【００５９】
また、本実施形態によれば、コントラスト電位を変化させながら複数の中濃度パッチ画像Ｑ３を形成し、それぞれの画像濃度を検出して、コントラスト電位の低下に対する感光体１１へのトナー付着量がほぼ飽和する中濃度画像形成条件を求め、その中濃度画像形成条件でトナー像の形成を行うようにしているので、白抜き細線または白抜き孤立ドットを含む中濃度画像を高品質で形成することができる。また、経時劣化などにより装置の状態が変化した場合でも、常に、上記中濃度画像形成条件を求めることができる。
【００６０】
なお、本発明は上記実施形態に限定されるものではなく、その趣旨を逸脱しない限りにおいて上述したものに対して種々の変更を加えることが可能であり、例えば以下の変形形態（１）〜（６）を採用することができる。
【００６１】
（１）上記実施形態ではパッチ画像として、べたパッチ画像Ｑ１、低濃度パッチ画像Ｑ２および中濃度パッチ画像Ｑ３を用いているが、これに限られない。例えば、べたパッチ画像Ｑ１のみを用いるようにしてもよい。この形態によれば、上記高濃度画像形成条件を求めることができ、この高濃度画像形成条件でトナー像の形成を行うことにより、高濃度画像を高品質で形成することができる。
【００６２】
また、パッチ画像として、例えば低濃度パッチ画像Ｑ２のみを用いるようにしてもよい。この形態によれば、上記低濃度画像形成条件を求めることができ、この低濃度画像形成条件でトナー像の形成を行うことにより、細線または孤立ドットを含む低濃度画像を高品質で形成することができる。
【００６３】
また、パッチ画像として、例えば中濃度パッチ画像Ｑ３のみを用いるようにしてもよい。この形態によれば、上記中濃度画像形成条件を求めることができ、この中濃度画像形成条件でトナー像の形成を行うことにより、白抜き細線または白抜き孤立ドットを含む中濃度画像を高品質で形成することができる。
【００６４】
また、パッチ画像として、例えばべたパッチ画像Ｑ１、低濃度パッチ画像Ｑ２および中濃度パッチ画像Ｑ３のうちいずれか２つを用いるようにしてもよい。特に、低濃度パッチ画像Ｑ２および中濃度パッチ画像Ｑ３の２つを用いて低濃度画像形成条件および中濃度画像形成条件の双方を満たす画像形成条件を求めると、この画像形成条件は、図６に示すように、高濃度画像形成条件も満たすことになるので、べたパッチ画像Ｑ１を用いることなく簡単に、高濃度画像も高品質で形成することが可能になる。
【００６５】
（２）上記実施形態において、さらに、帯電部１２による帯電バイアス、現像ローラ３１に印加する現像バイアス、中間転写ローラ４１に印加する１次転写バイアス、２次転写ローラ４２に印加する２次転写バイアスなどの電気的制御条件を調整するために、所定パターン（例えば、べた画像）の基準画像を形成し、当該基準画像の画像濃度をパッチセンサ１７により検出して、その検出結果に応じて上記電気的制御条件を調整するようにしてもよい。この形態によれば、パッチ画像Ｑ１〜Ｑ３の画像濃度を検出するパッチセンサ１７を、電気的制御条件調整のための基準画像の画像濃度検出に兼用することができ、部品点数の増加を抑制できる。さらに、画像形成条件を求めるためのパッチ画像Ｑ１〜Ｑ３のうち全てまたはいずれかを、上記基準画像として機能させるようにしてもよい。これによって、効率的なパッチ処理を行うことができる。
【００６６】
（３）上記実施形態では、感光体１１上に形成されたパッチ画像の画像濃度を検出するようにしているが、濃度検出位置はこれに限られない。例えば、感光体１１から中間転写ローラ４１に１次転写されたパッチ画像の画像濃度を検出するようにしてもよい。この場合には、中間転写ローラ４１の周りの１次転写位置４４と２次転写位置４５の間にパッチセンサを対向配置すればよい。この形態では、中間転写ローラ４１が本発明の「転写媒体」に相当し、転写バイアス発生部１１５が本発明の「転写手段」に相当する。さらに、パッチ画像を転写紙４に転写し、このパッチ画像の画像濃度を検出するように構成してもよい。
【００６７】
また、例えば、パッチ画像を転写するための専用部材（例えばパッチ転写ローラ）を感光体１１または中間転写ローラ４１に当接配置し、この専用部材に転写バイアスを印加して、上記専用部材に転写されたパッチ画像の画像濃度を検出するようにしてもよい。この場合には、上記専用部材にパッチセンサを対向配置すればよい。この形態では、上記専用部材が本発明の「転写媒体」に相当し、上記専用部材に転写バイアスを印加する手段が本発明の「転写手段」に相当する。
【００６８】
（４）上記実施形態では、現像バイアスＶｂを増加させながらパッチ画像の画像濃度を検出してトナー付着量が飽和する画像形成条件を求めているが、これに限られず、例えば、現像ギャップＤなどの装置の特性に基づき印加可能な現像バイアスＶｂの最大値を求めておき、この最大値から所定幅ずつ現像バイアスＶｂを低下させながら複数のパッチ画像を形成するようにしてもよい。
【００６９】
（５）上記実施形態では、現像バイアスＶｂを変化させることでコントラスト電位Ｖｃｏｎｔを変化させているが、これに限られず、帯電バイアスＶｄや露光エネルギー等の潜像形成条件を変化させることでコントラスト電位Ｖｃｏｎｔを変化させるようにしてもよい。この場合には、帯電バイアス発生部１１１を制御して帯電部１２による感光体１１の帯電電位Ｖｄを変化させたり、露光制御部１１２を制御して露光ユニット２０からの光ビーム２１の光量を変化させればよい。
【００７０】
（６）上記実施形態では、ホストコンピュータなどの外部装置より与えられた画像を転写紙に印刷するプリンタを用いて説明しているが、本発明はこれに限られず、複写機やファクシミリ装置などを含む一般の電子写真方式の画像形成装置に適用することができる。また、上記実施形態は単色印字の画像形成装置に対して本発明を適用しているが、本発明の適用対象はこれに限定されず、カラー画像形成装置にも本発明を適用することができる。
【図面の簡単な説明】
【図１】本発明の一実施形態であるプリンタの内部構成を示す図。
【図２】同プリンタの電気的構成を示すブロック図。
【図３】現像ニップ部の拡大図。
【図４】コントラスト電位に対するトナー付着量の変化を説明する図。
【図５】感光体の表面電位プロファイルを示す図。
【図６】現像バイアスの変化に対する画像濃度の変化を模式的に示す図。
【図７】低濃度パッチ画像の一例を示す図。
【図８】中濃度パッチ画像の一例を示す図。
【図９】画像形成条件の最適化処理ルーチンのフローチャート。
【図１０】図９のべたパッチ処理サブルーチンのフローチャート。
【図１１】図９の低濃度パッチ処理サブルーチンのフローチャート。
【図１２】図９の中濃度パッチ処理サブルーチンのフローチャート。
【図１３】図９の中濃度パッチ処理サブルーチンのフローチャート。
【図１４】印字処理ルーチンを示すフローチャート。
【符号の説明】４…転写紙（転写媒体）、１１…感光体（像担持体）、１７…パッチセンサ（濃度検出手段）、３１…現像ローラ（現像液担持体）、１１６…メモリ（記憶手段）、４１…中間転写ローラ（転写媒体）、１１３…ＣＰＵ、１１４…現像バイアス発生部（像形成手段）、１１５…転写バイアス発生部（転写手段）
【図１】
2004117847.tif 000003
【図２】
2004117847.tif 000004
【図３】
2004117847.tif 000005
【図４】
2004117847.tif 000006
【図５】
2004117847.tif 000007
【図６】
2004117847.tif 000008
【図７】
2004117847.tif 000009
【図８】
2004117847.tif 000010
【図９】
2004117847.tif 000011
【図１０】
2004117847.tif 000012
【図１１】
2004117847.tif 000013
【図１２】
2004117847.tif 000014
【図１３】
2004117847.tif 000015
【図１４】
2004117847.tif 000016